(57)【要約】【課題】泡混入の可能性を少なくとも低減できるリソグラフィ装置を提供する。【解決手段】液浸リソグラフィ装置が開示される。この液浸リソグラフィ装置は、投影システムの最終要素と基板および／またはテーブルとの間の局所的な空間に液浸液を閉じ込める流体ハンドリングシステムと、空間に隣接する領域に、液浸液への溶解度が摂氏２０度および全圧１ａｔｍにおいて５ｘ１０−３ｍｏｌ／ｋｇよりも大きいガスを供給するガス供給デバイスと、を備える。【選択図】図１
2011124573.tif 000002
【特許請求の範囲】
【請求項１】
投影システムの最終要素と基板および／またはテーブルとの間の局所的な空間に液浸液を閉じ込める流体ハンドリングシステムと、
前記空間に隣接する領域に、前記液浸液への溶解度が摂氏２０度および全圧１ａｔｍにおいて５ｘ１０−３ｍｏｌ／ｋｇよりも大きいガスを供給するガス供給デバイスと、を備える、液浸リソグラフィ装置。
【請求項２】
前記ガス供給デバイスは、前記液浸液への溶解度が摂氏２０度および全圧１ａｔｍにおいて５ｘ１０−３ｍｏｌ／ｋｇよりも大きいガスのソースを含む、請求項１に記載の液浸リソグラフィ装置。
【請求項３】
投影システムの最終要素と基板および／またはテーブルとの間の局所的な空間に液浸液を閉じ込める流体ハンドリングシステムと、
前記空間に隣接する領域に、前記液浸液における拡散率が摂氏２０度および全圧１ａｔｍにおいて３ｘ１０−５ｃｍ２ｓ−１よりも大きいガスを供給するガス供給デバイスと、を備える、液浸リソグラフィ装置。
【請求項４】
前記ガス供給デバイスは、前記液浸液における拡散率が摂氏２０度および全圧１ａｔｍにおいて８ｘ１０−５ｃｍ２ｓ−１よりも大きいガスのソースを含む、請求項３に記載の液浸リソグラフィ装置。
【請求項５】
投影システムの最終要素と基板および／またはテーブルとの間の局所的な空間に液浸液を閉じ込める流体ハンドリングシステムと、
前記空間に隣接する領域に、前記液浸液への溶解度と前記液浸液における拡散率との積が摂氏２０度および全圧１ａｔｍにおいて空気のそれよりも大きいガスを供給するガス供給デバイスと、を備える、液浸リソグラフィ装置。
【請求項６】
前記ガス供給デバイスは、前記液浸液への溶解度と前記液浸液における拡散率との積が摂氏２０度および全圧１ａｔｍにおいて２ｘ１０−８ｃｍ２ｓ−１ｍｏｌｋｇ−１よりも大きいガスのソースを含む、請求項５に記載の液浸リソグラフィ装置。
【請求項７】
前記ガスのソースは二酸化炭素のソースである、請求項１から６のいずれかに記載の液浸リソグラフィ装置。
【請求項８】
前記ガス供給デバイスは、前記液浸リソグラフィ装置の露光領域をガスで満たすよう前記ガスを供給する、請求項１から７のいずれかに記載の液浸リソグラフィ装置。
【請求項９】
前記流体ハンドリングシステムは液体閉じ込め構造体を含む、請求項８のいずれかに記載の液浸リソグラフィ装置。
【請求項１０】
投影システムの最終要素と基板との間の局所的な空間に閉じ込められた液浸液を通してパターン付与された放射ビームを投影することと、
前記空間に隣接する領域に、前記液浸液への溶解度が摂氏２０度および全圧１ａｔｍにおいて５ｘ１０−３ｍｏｌ／ｋｇよりも大きいガスを提供することと、を含むデバイス製造方法。
【請求項１１】
投影システムの最終要素と基板との間の局所的な空間に閉じ込められた液浸液を通してパターン付与された放射ビームを投影することと、
前記空間に隣接する領域に、前記液浸液における拡散率が摂氏２０度および全圧１ａｔｍにおいて３ｘ１０−５ｃｍ２ｓ−１よりも大きいガスを提供することと、を含むデバイス製造方法。
【請求項１２】
投影システムの最終要素と基板との間の局所的な空間に閉じ込められた液浸液を通してパターン付与された放射ビームを投影することと、
前記空間に隣接する領域に、前記液浸液への溶解度と前記液浸液における拡散率との積が摂氏２０度および全圧１ａｔｍにおいて空気のそれよりも大きいガスを提供することと、を含むデバイス製造方法。
【請求項１３】
液浸リソグラフィ装置のための流体ハンドリングシステムであって、前記流体ハンドリングシステムは投影システムの最終要素と基板および／またはテーブルとの間の局所的な空間に液浸液を閉じ込め、前記流体ハンドリングシステムは、前記空間に隣接する領域に、前記液浸液への溶解度が摂氏２０度および全圧１ａｔｍにおいて５ｘ１０−３ｍｏｌ／ｋｇよりも大きいガスを供給するガス供給デバイスを備える、流体ハンドリングシステム。
【請求項１４】
液浸リソグラフィ装置のための流体ハンドリングシステムであって、前記流体ハンドリングシステムは投影システムの最終要素と基板および／またはテーブルとの間の局所的な空間に液浸液を閉じ込め、前記流体ハンドリングシステムは、前記空間に隣接する領域に、前記液浸液における拡散率が摂氏２０度および全圧１ａｔｍにおいて３ｘ１０−５ｃｍ２ｓ−１よりも大きいガスを供給するガス供給デバイスを備える、流体ハンドリングシステム。
【請求項１５】
液浸リソグラフィ装置のための流体ハンドリングシステムであって、前記流体ハンドリングシステムは投影システムの最終要素と基板および／またはテーブルとの間の局所的な空間に液浸液を閉じ込め、前記流体ハンドリングシステムは、前記空間に隣接する領域に、前記液浸液への溶解度と前記液浸液における拡散率との積が摂氏２０度および全圧１ａｔｍにおいて空気のそれよりも大きいガスを供給するガス供給デバイスを備える、流体ハンドリングシステム。
【発明の詳細な説明】
【技術分野】
【０００１】
本発明はリソグラフィ装置およびリソグラフィ装置を使用してデバイスを製造する方法に関する。
【背景技術】
【０００２】
リソグラフィ装置は、所望のパターンを基板の目標部分、通常は基板の目標部分に転写する機械である。リソグラフィ装置は例えば集積回路（ＩＣ）の製造に用いられる。この場合、例えばマスクまたはレチクルとも称されるパターニングデバイスが、集積回路の各層に対応した回路パターンを形成するために使用される。このパターンが基板（例えばシリコンウェーハ）の（例えばダイの一部、あるいは１つまたは複数のダイからなる）目標部分に転写される。パターン転写は典型的には基板に形成された放射感応性材料（レジスト）層への結像による。一般に一枚の基板にはネットワーク状に隣接する一群の目標部分が含まれ、これらは連続的に露光される。公知のリソグラフィ装置にはいわゆるステッパとスキャナとがある。ステッパにおいては、目標部分にパターン全体が一度に露光されるようにして各目標部分は照射を受ける。スキャナにおいては、所与の方向（スキャン方向）に放射ビームによりパターンを走査するとともに基板をスキャン方向に平行または逆平行に走査するようにして各目標部分は照射を受ける。パターニングデバイスから基板へのパターン転写は、基板にパターンをインプリントすることによっても可能である。
【０００３】
リソグラフィ投影装置において基板を液体に浸すことが提案されている。この液体は比較的高い屈折率をもつ液体であり、例えば水である。投影システムの最終要素と基板との間の空間が液体で満たされる。液体はある実施の形態では蒸留水であるが、その他の液体も使用可能である。本発明の一実施形態は液体に言及して説明しているが、その他の流体、特に濡れ性流体、非圧縮性流体、及び／又は屈折率が空気より高い、望ましくは屈折率が水より高い流体が適切なこともある。気体を除く流体が特に望ましい。その真意は、露光放射は液体中で波長が短くなるので、より小さい形状の結像が可能となるということである（液体の効果は、システムの有効開口数（ＮＡ）を大きくし、焦点深度も大きくすることと見なすこともできる。）。別の液浸液も提案されている。固体粒子（例えば石英）で懸濁している水や、ナノ粒子（例えば最大寸法１０ｎｍ以下）で懸濁している液体である。懸濁粒子はその液体の屈折率と同程度の屈折率を有していてもよいし、そうでなくてもよい。その他に適切な液体は炭化水素を含む。例えば芳香族、フッ化炭化水素、および／または水溶液がある。
【０００４】
基板を、又は基板と基板テーブルとを液体の浴槽に浸すこと（例えば米国特許第４，５０９，８５２号参照）は、走査露光中に加速すべき大きい塊の液体があることでもある。これには、追加のモータ又はさらに強力なモータが必要であり、液体中の乱流が望ましくない予測不能な効果を引き起こすことがある。
【０００５】
液浸装置では液浸流体は流体ハンドリングシステム、デバイス構造または装置によって取り扱われる。ある実施の形態では、流体ハンドリングシステムは液浸流体を供給してもよく、したがって流体供給システムであってもよい。ある実施の形態では、流体ハンドリングシステムは液浸流体を少なくとも部分的に閉じ込めてもよく、流体閉じ込めシステムであってもよい。ある実施の形態では、流体ハンドリングシステムは液浸流体に障壁（バリア）をもたらしてもよく、バリア部材であってもよい。バリア部材は流体閉じ込め構造であってもよい。ある実施の形態では、流体ハンドリングシステムは、ガスの流れを生成または使用してもよい。この流れは例えば液浸流体の流れ及び／または位置の制御に役立つ。気体流れが液浸流体を閉じ込めるシールを形成してもよく、流体ハンドリング構造がシール部材と呼ばれてもよい。シール部材は流体閉じ込め構造であってもよい。ある実施の形態では、液浸液は液浸流体として使用されてもよい。その場合、流体ハンドリングシステムは液体ハンドリングシステムである。上記説明に関して、本段落で流体について定義した特徴への言及は、液体について定義される特徴を含むものと理解されたい。
【発明の概要】
【発明が解決しようとする課題】
【０００６】
液浸液が流体ハンドリングシステムによって投影システム下の表面の局所的な領域に閉じ込められる場合、メニスカスがその流体ハンドリングシステムと表面との間に形成される。そのメニスカスが表面上の液滴と衝突すると、液浸液に泡が含まれる結果となりうる。流体ハンドリングシステムからの漏れを含む種々の理由によって表面上に液滴が存在しうる。液浸液内の泡によって結像誤差が生じうる。例えば基板への転写中に泡が投影ビームに干渉することによってそのような結像誤差が生じうる。
【０００７】
例えば、泡混入の可能性を少なくとも低減できるリソグラフィ装置を提供することが望ましい。
【課題を解決するための手段】
【０００８】
ある態様によると、投影システムの最終要素と基板および／またはテーブルとの間の局所的な空間に液浸液を閉じ込める流体ハンドリングシステムと、空間に隣接する領域に、液浸液への溶解度が摂氏２０度および全圧１ａｔｍにおいて５ｘ１０−３ｍｏｌ／ｋｇよりも大きいガスを供給するガス供給デバイスと、を備える液浸リソグラフィ装置が提供される。
【０００９】
ある態様によると、投影システムの最終要素と基板および／またはテーブルとの間の局所的な空間に液浸液を閉じ込める流体ハンドリングシステムと、空間に隣接する領域に、液浸液における拡散率が摂氏２０度および全圧１ａｔｍにおいて３ｘ１０−５ｃｍ２ｓ−１よりも大きいガスを供給するガス供給デバイスと、を備える液浸リソグラフィ装置が提供される。
【００１０】
ある態様によると、投影システムの最終要素と基板および／またはテーブルとの間の局所的な空間に液浸液を閉じ込める流体ハンドリングシステムと、空間に隣接する領域に、液浸液への溶解度と液浸液における拡散率との積が摂氏２０度および全圧１ａｔｍにおいて空気のそれよりも大きいガスを供給するガス供給デバイスと、を備える液浸リソグラフィ装置が提供される。
【００１１】
ある態様によると、投影システムの最終要素と基板との間の局所的な空間に閉じ込められた液浸液を通してパターン付与された放射ビームを投影することと、空間に隣接する領域に、液浸液への溶解度が摂氏２０度および全圧１ａｔｍにおいて５ｘ１０−３ｍｏｌ／ｋｇよりも大きいガスを提供することと、を含むデバイス製造方法が提供される。
【００１２】
ある態様によると、投影システムの最終要素と基板との間の局所的な空間に閉じ込められた液浸液を通してパターン付与された放射ビームを投影することと、空間に隣接する領域に、液浸液における拡散率が摂氏２０度および全圧１ａｔｍにおいて３ｘ１０−５ｃｍ２ｓ−１よりも大きいガスを提供することと、を含むデバイス製造方法が提供される。
【００１３】
ある態様によると、投影システムの最終要素と基板との間の局所的な空間に閉じ込められた液浸液を通してパターン付与された放射ビームを投影することと、空間に隣接する領域に、液浸液への溶解度と液浸液における拡散率との積が摂氏２０度および全圧１ａｔｍにおいて空気のそれよりも大きいガスを提供することと、を含むデバイス製造方法が提供される。
【００１４】
ある態様によると、液浸リソグラフィ装置のための流体ハンドリングシステムであって、流体ハンドリングシステムは投影システムの最終要素と基板および／またはテーブルとの間の局所的な空間に液浸液を閉じ込め、流体ハンドリングシステムは、空間に隣接する領域に、液浸液への溶解度が摂氏２０度および全圧１ａｔｍにおいて５ｘ１０−３ｍｏｌ／ｋｇよりも大きいガスを供給するガス供給デバイスを備える、流体ハンドリングシステムが提供される。
【００１５】
ある態様によると、液浸リソグラフィ装置のための流体ハンドリングシステムであって、流体ハンドリングシステムは投影システムの最終要素と基板および／またはテーブルとの間の局所的な空間に液浸液を閉じ込め、流体ハンドリングシステムは、空間に隣接する領域に、液浸液における拡散率が摂氏２０度および全圧１ａｔｍにおいて３ｘ１０−５ｃｍ２ｓ−１よりも大きいガスを供給するガス供給デバイスを備える、流体ハンドリングシステムが提供される。
【００１６】
ある態様によると、液浸リソグラフィ装置のための流体ハンドリングシステムであって、流体ハンドリングシステムは投影システムの最終要素と基板および／またはテーブルとの間の局所的な空間に液浸液を閉じ込め、流体ハンドリングシステムは、空間に隣接する領域に、液浸液への溶解度と液浸液における拡散率との積が摂氏２０度および全圧１ａｔｍにおいて空気のそれよりも大きいガスを供給するガス供給デバイスを備える、流体ハンドリングシステムが提供される。
【図面の簡単な説明】
【００１７】
本発明の実施の形態が以下に説明されるがこれらは例示に過ぎない。この説明に用いられる参照符号は各図面において対応する部分を指し示す。各図面において同様の符号は同様の部分を示す。
【００１８】
【図１】本発明の実施の形態に係るリソグラフィ装置を模式的に示す図である。
【００１９】
【図２】リソグラフィ投影装置で使用される液体供給システムを示す図である。
【図３】リソグラフィ投影装置で使用される液体供給システムを示す図である。
【００２０】
【図４】リソグラフィ投影装置で使用される別の液体供給システムを示す図である。
【００２１】
【図５】リソグラフィ投影装置で使用される別の液体供給システムを示す図である。
【００２２】
【図６】リソグラフィ投影装置で使用される別の液体供給システムを示す図である。
【００２３】
【図７】リソグラフィ投影装置で使用される液体供給システムを平面的に示す図である。
【００２４】
【図８】スキャン速さに対する許されうる泡のサイズを示すグラフである。
【発明を実施するための形態】
【００２５】
図１は、本発明の実施の形態に係るリソグラフィ装置を模式的に示す図である。この装置は、
放射ビームＢ（例えばＵＶ放射またはＤＵＶ放射）を調整するよう構成されている照明システム（イルミネータ）ＩＬと、
パターニングデバイス（例えばマスク）ＭＡを支持するよう構成され、いくつかのパラメタに従ってパターニングデバイスＭＡを正確に位置決めするよう構成されている第１の位置決め装置ＰＭに接続されている支持構造（例えばマスクテーブル）ＭＴと、
基板（例えばレジストでコーティングされた基板）Ｗを保持するよう構成され、いくつかのパラメタに従って例えば基板Ｗの表面などのテーブルの表面を正確に位置決めするよう構成されている第２の位置決め装置ＰＷに接続されている支持テーブル（例えばひとつまたは複数のセンサを支持するセンサテーブルまたは基板テーブル）ＷＴと、
パターニングデバイスＭＡにより放射ビームＢに付与されたパターンを基板Ｗの（例えば１つまたは複数のダイからなる）目標部分Ｃに投影するよう構成されている投影システム（例えば屈折投影レンズ）ＰＳと、を備える。
【００２６】
照明系ＩＬは、放射の方向や形状の調整またはその他の制御用に、各種の光学素子例えば屈折光学素子、反射光学素子、磁気的光学素子、電磁気的光学素子、静電的光学素子または他の各種光学部品を含んでもよく、あるいはこれらの任意の組み合わせを含んでもよい。
【００２７】
支持構造ＭＴは、パターニングデバイスＭＡを保持する。支持構造は、パターニングデバイスＭＡの向きやリソグラフィ装置の構成、あるいはパターニングデバイスＭＡが真空環境下で保持されるか否かなどの他の条件に応じた方式でパターニングデバイスＭＡを保持する。支持構造ＭＴは、機械的固定、真空固定、またはパターニングデバイスＭＡを保持するその他の固定用技術を用いてもよい。支持構造ＭＴは例えばフレームまたはテーブルであってよく、必要に応じて固定されていてもよいし移動可能であってもよい。支持構造ＭＴは、パターニングデバイスＭＡを例えば投影システムＰＳに対して所望の位置に位置決めできるようにしてもよい。本明細書では「レチクル」または「マスク」という用語を用いた場合には、より一般的な用語である「パターニングデバイス」に同義であるとみなされるものとする。
【００２８】
本明細書では「パターニングデバイス」という用語は、例えば基板の目標部分にパターンを形成すべく放射ビームの断面にパターンを付与するために使用され得るいかなるデバイスをも指し示すよう広く解釈されるべきである。放射ビームに与えられるパターンは、基板の目標部分に所望されるパターンと厳密に対応していなくてもよい。このような場合には例えば、放射ビームのパターンが位相シフトフィーチャあるいはいわゆるアシストフィーチャを含む場合がある。一般には、放射ビームに付与されるパターンは、目標部分に形成される集積回路などのデバイスの特定の機能層に対応する。
【００２９】
パターニングデバイスＭＡは透過型であっても反射型であってもよい。パターニングデバイスの例としては、例えばマスクやプログラマブルミラーアレイ、プログラマブルＬＣＤパネルなどがある。マスクはリソグラフィの分野では周知であり、バイナリマスクやレベンソン型位相シフトマスク、ハーフトーン型位相シフトマスク、更に各種のハイブリッド型マスクが含まれる。プログラマブルミラーアレイの一例としては、小型のミラーがマトリックス状に配列され、各ミラーが入射してくる放射ビームを異なる方向に反射するように個別に傾斜されるというものがある。これらの傾斜ミラーにより、マトリックス状ミラーで反射された放射ビームにパターンが付与されることになる。
【００３０】
本明細書では「投影システム」という用語は、使用される露光光あるいは液浸や真空の利用などの他の要因に関して適切とされるいかなる投影システムをも包含するよう広く解釈されるべきである。投影システムには例えば屈折光学系、反射光学系、反射屈折光学系、磁気的光学系、電磁気的光学系、静電的光学系、またはこれらの任意の組み合わせなどが含まれる。以下では「投影レンズ」という用語は、より一般的な用語である「投影システム」と同義に用いられ得る。
【００３１】
ここに図示されるのは、（例えば透過型マスクを用いる）透過型のリソグラフィ装置である。これに代えて、（例えば上述のようなプログラマブルミラーアレイまたは反射型マスクを用いる）反射型のリソグラフィ装置を用いることもできる。
【００３２】
リソグラフィ装置は２つ以上（２つの場合にはデュアルステージと呼ばれる）のテーブル、例えば２つ以上の基板テーブルまたはひとつの基板テーブルおよびひとつのセンサテーブル（及び／または２つ以上のパターニングデバイステーブル）を備えるタイプのものであってもよい。このような多重ステージ型の装置においては追加されたテーブルは並行して使用されるか、あるいは１以上のテーブルで露光が行われている間に他の１以上のテーブルで準備工程を実行するようにしてもよい。
【００３３】
図１に示されるようにイルミネータＩＬは放射源ＳＯから放射ビームを受け取る。例えば光源ＳＯがエキシマレーザである場合には、光源ＳＯとリソグラフィ装置とは別体であってもよい。この場合、光源ＳＯはリソグラフィ装置の一部を構成しているとはみなされなく、放射ビームは光源ＳＯからイルミネータＩＬへとビーム搬送系ＢＤを介して受け渡される。ビーム搬送系ＢＤは例えば適当な方向変更用のミラー及び／またはビームエキスパンダを含んで構成される。あるいは光源ＳＯが例えば水銀ランプである場合には、光源ＳＯはリソグラフィ装置に一体に構成されていてもよい。光源ＳＯとイルミネータＩＬとは、またビーム搬送系ＢＤが必要とされる場合にはこれも合わせて、放射系または放射システムと総称される。
【００３４】
イルミネータＩＬは放射ビームの角強度分布を調整するためのアジャスタＡＤを備えてもよい。一般には、イルミネータＩＬの瞳面における強度分布の少なくとも半径方向外径及び／または内径の大きさ（通常それぞれ「シグマ−アウタ（σ−ｏｕｔｅｒ）」、「シグマ−インナ（σ−ｉｎｎｅｒ）」と呼ばれる）が調整される。加えてイルミネータＩＬは、インテグレータＩＮ及びコンデンサＣＯなどの他の要素を備えてもよい。イルミネータＩＬはビーム断面における所望の均一性及び強度分布を得るべく放射ビームを調整するために用いられる。光源ＳＯと同様に、イルミネータＩＬはリソグラフィ装置の一部を形成するとみなされてもよいしみなされなくてもよい。例えば、イルミネータＩＬはリソグラフィ装置と一体であってもよく、またはリソグラフィ装置と別体であってもよい。後者の場合、リソグラフィ装置はイルミネータＩＬがそれに取り付け可能なように構成されてもよい。オプションで、イルミネータＩＬは取り外し可能であって別途提供されてもよい（例えば、リソグラフィ装置の製造者または他のサプライヤーによって）。
【００３５】
放射ビームＢは、支持構造（例えばマスクテーブル）ＭＴに保持されるパターニングデバイス（例えばマスク）ＭＡに入射して、当該パターニングデバイスＭＡによりパターンが付与される。パターニングデバイスＭＡを通過した放射ビームＢは投影システムＰＳに進入する。投影システムＰＳはビームを基板Ｗの目標部分Ｃに投影する。第２の位置決め装置ＰＷと位置センサＩＦ（例えば、干渉計、リニアエンコーダ、静電容量センサなど）により基板テーブルＷＴを正確に移動させることができる。基板テーブルＷＴは例えば放射ビームＢの経路に異なる目標部分Ｃを順次位置決めするように移動される。同様に、第１の位置決め装置ＰＭと他の位置センサ（図１には明示せず）とにより放射ビームＢの経路に対してパターニングデバイスＭＡを正確に位置決めすることができる。この位置決めは例えばマスクライブラリからのマスクの機械的交換後や露光走査中に行われる。一般に支持構造ＭＴの移動は、第１の位置決め装置ＰＭの一部を構成するロングストロークモジュール（粗い位置決め用）及びショートストロークモジュール（精細な位置決め用）により実現される。同様に基板テーブルＷＴの移動は、第２の位置決め装置ＰＷの一部を構成するロングストロークモジュール及びショートストロークモジュールにより実現される。ステッパでは（スキャナとは異なり）、支持構造ＭＴはショートストロークのアクチュエータにのみ接続されているか、あるいは固定されていてもよい。パターニングデバイスＭＡと基板Ｗとは、パターニングデバイスアライメントマークＭ１、Ｍ２及び基板アライメントマークＰ１、Ｐ２を用いてアライメントされてもよい。図においては基板アライメントマークが専用の目標部分を占拠しているが、アライメントマークは目標部分Ｃ間のスペースに配置されてもよい（これはスクライブライン・アライメントマークとして公知である）。同様に、パターニングデバイスＭＡに複数のダイがある場合にはパターニングデバイスアライメントマークをダイ間に配置してもよい。
【００３６】
図示の装置は例えば次のうちの少なくとも１つのモードで使用され得る。
【００３７】
１．ステップモードにおいては、放射ビームＢに付与されたパターンの全体が１回の照射（すなわち単一静的露光）で目標部分Ｃに投影される間、支持構造ＭＴ及び基板テーブルＷＴは実質的に静止状態とされる。そして基板テーブルＷＴがＸ方向及び／またはＹ方向に移動されて、異なる目標部分Ｃが露光される。ステップモードでは露光フィールドの最大サイズが単一静的露光で転写される目標部分Ｃのサイズを制限することになる。
【００３８】
２．スキャンモードにおいては、放射ビームＢに付与されたパターンが目標部分Ｃに投影される間（すなわち単一動的露光の間）、支持構造ＭＴ及び基板テーブルＷＴは同期して走査される。支持構造ＭＴに対する基板テーブルＷＴの速度及び方向は、投影システムＰＳの拡大（縮小）特性及び像反転特性により定められる。スキャンモードでは露光フィールドの最大サイズが単一動的露光での目標部分Ｃの（非走査方向の）幅を制限し、走査移動距離が目標部分Ｃの（走査方向の）長さを決定する。
【００３９】
３．別のモードにおいては、支持構造ＭＴがプログラム可能パターニングデバイスを保持して実質的に静止状態とされ、放射ビームに付与されたパターンが目標部分Ｃに投影される間、基板テーブルＷＴが移動または走査される。このモードではパルス放射源が通常用いられ、プログラム可能パターニングデバイスは、基板テーブルＷＴの毎回の移動後、または走査中の連続放射パルス間に必要に応じて更新される。この動作モードは、上述のプログラマブルミラーアレイ等のプログラム可能パターニングデバイスを利用するマスクレスリソグラフィに容易に適用することができる。
【００４０】
上記で記載したモードを組み合わせて動作させてもよいし、各モードに変更を加えて動作させてもよいし、さらに全く別のモードでリソグラフィ装置を使用してもよい。
【００４１】
本明細書ではＩＣの製造におけるリソグラフィ装置の使用を例として説明しているが、本明細書で説明されるリソグラフィ装置は他の用途にも適用することが可能であるものと理解されたい。他の用途としてはマイクロスケールや場合によってはナノスケールのフィーチャを有する部材の製造があり、例えば集積光学システム、磁区メモリ用ガイダンスおよび検出パターン、フラットパネルディスプレイ、液晶ディスプレイ（ＬＣＤ）、薄膜磁気ヘッドなどの製造がある。
【００４２】
投影システムＰＳの最終要素と基板との間に液体を提供する構成は三種類に分類することができる。浴槽型、いわゆる局所液浸システム、及び全域濡れ液浸システムである。浴槽型では基板Ｗの実質的に全体が液槽に浸される。基板テーブルＷＴの一部も液層に浸されてもよい。
【００４３】
局所液浸システムは、基板の局所区域にのみ液体を供給する液体供給システムを使用する。液体で満たされる空間は基板上面よりも小さく、液体で満たされた領域は基板Ｗがその領域の下を移動しているとき投影システムＰＳに対し実質的に静止状態にある。図２乃至図７はそのようなシステムに使用可能である供給装置をそれぞれ示す。局所区域に液体を封止するシール機能が存在する。そのための構成の一例がＰＣＴ特許出願第ＷＯ９９／４９５０４号に開示されている。
【００４４】
全域濡れ構成においては液体は閉じ込められない。基板上面全体と基板テーブルの全体または一部が液浸液で覆われる。少なくとも基板を覆う液体の深さは浅い。液体はフィルム状であってもよく、基板上の薄い液体フィルムであってもよい。液浸液は、投影システム及びそれに面する対向表面の領域に供給される。対向表面は基板表面及び／または基板テーブル表面であってもよい。図２乃至図５の液体供給装置はいずれもこのシステムに使用可能である。しかし、シール機能はなくすか、動作させないか、通常ほどは効果的でないようにして、局所区域のみに液体を封じないようにする。
【００４５】
図２及び図３に図示されているように、液体が少なくとも１つの入口によって基板上に、好ましくは最終要素に対する基板の移動方向に沿って供給され、投影システムの下を通過した後に少なくとも１つの出口によって除去される。つまり、基板が−Ｘ方向に要素の下を走査されるにつれて、液体が要素の＋Ｘ側にて供給され、−Ｘ側にて除去される。図２は、液体が入口を介して供給され、低圧源に接続された出口によって要素の他方側で除去される構成を概略的に示したものである。図２では液体が最終要素に対する基板の移動方向に沿って供給されるが、こうである必要はない。最終要素の周囲に配置された入口及び出口の様々な方向及び数が可能であり、一例が図３に示され、ここでは各側に４組の入口と出口が、最終要素の周囲に規則的なパターンで設けられる。なお液体の流れ方向を図２及び図３に矢印で示す。
【００４６】
局所液体供給システムをもつ液浸リソグラフィの解決法が、図４に示されている。液体は、投影システムＰＬの両側にある２つの溝入口によって供給され、入口の半径方向外側に配置された複数の別個の出口によって除去される。入口は、投影ビームを通す穴を中心に有するプレートに設けることができる。液体は、投影システムＰＳの一方側にある１つの溝入口によって供給され、投影システムＰＳの他方側にある複数の別個の出口によって除去され、これによって投影システムＰＳと基板Ｗとの間に液体の薄膜の流れが生じる。どちらの組合せの入口と出口を使用するかの選択は、基板Ｗの移動方向によって決まる（他方の組合せの入口及び出口は作動させない）。なお液体の流れ方向を図４に矢印で示す。
【００４７】
提案されている別の構成は液体閉じ込め構造を液体供給システムに設けることである。液体閉じ込め構造は、投影システムの最終要素と基板テーブルＷＴまたは基板Ｗとの間の空間の境界の少なくとも一部に沿って延在する。これを図５に示す。
【００４８】
図５は、液体閉じ込め構造１２を有する局所液体供給システムまたは流体ハンドリングシステムを模式的に示す図である。液体閉じ込め構造１２は、投影システムの最終要素と基板テーブルＷＴまたは基板Ｗとの間の空間の境界の少なくとも一部に沿って延在する。なお後述の説明で基板Ｗ表面への言及は、そうではないことを明示していない限り、基板テーブル表面をも意味するものとする。液体閉じ込め構造１２は、投影システムに対してＸＹ面で実質的に静止しているが、Ｚ方向（光軸の方向）では多少の相対運動があってよい。一実施例においては、液体閉じ込め構造１２と基板Ｗの表面との間にシールを形成する。このシールは、ガスシール（ガスシールをもつシステムが欧州特許出願公開公報ＥＰ−Ａ−１４２０２９８号に開示されている）や液体シール等の非接触シールであってもよい。
【００４９】
液体閉じ込め構造１２は、投影システムＰＳの最終要素と基板Ｗとの間の空間１１の少なくとも一部に液体を収容する。基板Ｗに対する非接触シール１６が投影システムＰＳの像フィールドの周囲に形成され、投影システムＰＳの最終要素と基板Ｗとの間の空間に液体が閉じ込められてもよい。この空間１１の少なくとも一部が液体閉じ込め構造１２により形成される。液体閉じ込め構造１２は投影システムＰＳの最終要素の下方に配置され、当該最終要素を囲む。液体が、投影システムＰＳ下方かつ液体閉じ込め構造１２内部の空間に、液体入口１３によってもたらされる。液体出口１３によって液体が除去されてもよい。液体閉じ込め構造１２は、投影システム最終要素の少し上まで延在してもよい。液位が最終要素の上まで上昇することで、液体のバッファが提供される。一実施例においては液体閉じ込め構造１２は、上端において内周が投影システムまたはその最終要素の形状によく一致し、下端において内周が像フィールドの形状によく一致していてもよい。上端が円形で下端が矩形であってもよいが、これに限られない。
【００５０】
液体は、バリア部材１２の底部と基板Ｗの表面との間に使用時に形成されるガスシール１６によって空間１１に保持されてもよい。ガスシールはガスによって形成される。ガスシールの気体は、圧力下で入口１５を介してバリア部材１２と基板Ｗとの隙間に提供され、出口１４から抜き取られる。気体入口１５への過剰圧力、出口１４の真空レベル、及び隙間の幾何学的形状は、液体を閉じ込める内側への高速の気体流１６が存在するように構成される。バリア部材１２と基板Ｗとの間の液体に気体から作用する力が空間１１に液体を保持する。入口及び出口は空間１１を取り巻く環状溝であってもよい。環状溝は連続していてもよいし不連続であってもよい。気体流れ１６は空間１１に液体を保持する効果がある。このようなシステムが、本明細書にその全体が援用される米国特許出願公開公報ＵＳ２００４−０２０７８２４号に開示されている。ある実施の形態では液体閉じ込め構造１２がガスシールを有しない。
【００５１】
図６は、液体供給システムの一部である液体閉じ込め構造１２を示す。液体閉じ込め構造１２は、投影システムＰＳの最終要素の外周に沿って（例えば円形に）延在する。
【００５２】
部分的に空間１１を画定する表面の複数の開口２０が空間１１に液体を供給する。液体は、対応するチャンバ２４、２６を通過し、側壁２８、２２の開口２９、２０をそれぞれ通過してから空間１１に流入する。
【００５３】
液体閉じ込め構造１２の底部と対向表面、例えば基板Ｗまたは基板テーブルＷＴまたはそれらの両方、との間にシールが形成される。図６ではシールデバイスは非接触シールを提供し、いくつかの部材から構成されている。投影システムＰＳの光軸から半径方向外側に、空間１１へと延在する流れ制御プレート５１が設けられる（オプション）。制御プレート５１は開口５５を有してもよく、その開口５５を通じて液体が流れうる。制御プレート５１がＺ方向に（例えば、投影システムＰＳの光軸と平行に）動かされる場合、開口５５は有益でありうる。基板Ｗなどの対向表面に対向する（例えば反対側にある）液体閉じ込め構造１２の底面において流れ制御プレート５１の半径方向外側には開口１８０が設けられていてもよい。開口１８０は対向表面に向かう向きに液体を供給することができる。
これは、基板Ｗと基板テーブルＷＴとの隙間を液体で満たすことにより液浸液中での気泡形成を抑制するという点で結像中に有効である。
【００５４】
開口１８０の半径方向外側には、液体閉じ込め構造１２と対向表面との間から液体を抽出するための抽出アセンブリ７０が設けられていてもよい。抽出アセンブリ７０は単相流を抽出する手段として動作してもよいし、二相流を抽出する手段として動作してもよい。
【００５５】
抽出アセンブリ７０の半径方向外側には、凹部８０が設けられていてもよい。凹部８０は入口８２を通じて大気に接続される。凹部８０は出口８４を通じて低圧源に接続されていてもよい。凹部８０の半径方向外側には、ガスナイフ９０が設けられていてもよい。抽出アセンブリ、凹部、及びガスナイフの構成については、本明細書にその全体が援用される米国特許出願公開公報ＵＳ２００６／０１５８６２７号に詳細に開示されている。
【００５６】
抽出アセンブリ７０は、本明細書にその全体が援用される米国特許出願公開公報ＵＳ２００６／００３８９６８号に開示されているような液体除去装置または抽出部またはインレットを備える。一実施例においては、液体除去装置７０は、液体から気体を分離して液体の単相抽出を可能とする多孔質材料１１０で覆われている入口を備える。区画１２０の負圧は、多孔質材料１１０の孔に形成されるメニスカスが液体除去装置７０の区画１２０に周囲の気体を引き込まないよう選択される。しかし、多孔質表面１１０が液体に接触しているときには流れを制限するメニスカスは無く、液体除去装置７０の区画１２０に自由に液体が流れることができる。
【００５７】
多孔質材料１１０は多数の小孔を有する。各孔の寸法例えば幅または直径は５マイクロメートル乃至５０マイクロメートルの範囲にある。多孔質材料１１０は、液体が除去されるべき表面例えば対向表面から５０マイクロメートル乃至３００マイクロメートルの範囲の高さに保持されてもよい。一実施例においては、多孔質材料１１０は少なくとも若干の親液体性であってもよい。つまり、液浸液例えば水に対する多孔質材料１１０の動的接触角は９０度未満であってもよく、望ましくは８５度未満または望ましくは８０度未満であってもよい。
【００５８】
図６に特に図示していないが、液体供給システムは液位変動を処理するための構成を有する。これにより、投影システムＰＳと液体閉じ込め構造１２との間で上昇した液体が処理され逃げない。この液体処理の１つの手法は、疎液性（例えば疎水性）コーティングを形成することである。そのコーティングが液体閉じ込め構造１２の上面で開口または投影システムＰＳの最終光学素子の周囲を取り巻く帯状に形成されていてもよい。コーティングは投影システムＰＳの光軸の半径方向外側に設けられていてもよい。疎液性（例えば疎水性）コーティングは空間１１に液浸液を保持するのに役立つ。
【００５９】
他の局所領域構成は、気体吸引の原理を利用する流体ハンドリングシステムである。このいわゆる気体吸引原理は例えば米国特許出願公開公報ＵＳ２００８−０２１２０４６号、ＵＳ２００９−０２７９０６０号、およびＵＳ２００９−０２７９０６２号に記載されている。このシステムにおいては、抽出孔が望ましくはコーナを有する形状に配列されている。そのコーナがステップ方向や走査方向などの所望の動作方向に合わせられていてもよい。これにより、所望の方向の所与の速さにおいて流体ハンドリング構造表面の２つの開口間のメニスカスに生じる力を、それら２つの出口が所望の方向に垂直に配列された場合に比べて、小さくすることができる。しかしながら、本発明の実施の形態は平面視において任意の形状を有する流体ハンドリングシステムに適用されうる。また、本発明の実施の形態は任意の形状に構成された抽出開口のような部材を有する流体ハンドリングシステムに適用されうる。非限定的なリストにあるそのような形状は、円などの楕円または矩形（例えば、正方形）などの直線で囲まれた形状または菱形などの平行四辺形または４以上の点の星などの４つ以上のコーナを有するコーナ形状を含む。
【００６０】
本発明の実施の形態が関連しているＵＳ２００８／０２１２０４６のシステムの変形例では、開口はコーナを有する幾何的な形状にしたがって配置され、その幾何学的な形状は走査方向およびステッピング方向の両方において整列するコーナのなかに鋭角のコーナ（約６０度から９０度までの範囲、望ましくは７５度から９０度までの範囲、最も望ましくは７５度から８５度までの範囲）の存在を許容するものである。この幾何学的な形状によれば、整列した個々のコーナの方向における速さを増やすことができる。これは、走査方向における不安定なメニスカスに起因する液滴の生成、例えば臨界速さを超えたときの液滴の生成が抑制されることによるものである。走査方向およびステッピング方向の両方においてコーナが整列される場合、これらの方向において速さを大きくすることができる。走査方向およびステッピング方向における動作の速さは実質的に等しくされることが望ましい。
【００６１】
図７は、本発明の実施の形態が関係してもよく、かつ、気体吸引原理を体現している、流体ハンドリングシステムまたは抽出器を有する液体閉じ込め構造１２のメニスカス釘付け特徴部分を模式的に示す平面図である。示されているメニスカス釘付けデバイスの特徴は、たとえば図５のメニスカス釘付け構造１４、１５、１６または図６に示される少なくとも抽出器アセンブリ７０と置き換えることができる。図７のメニスカス釘付けデバイスは抽出器の形をとる。メニスカス釘付けデバイスは、複数の離散開口５０を備えている。これらの開口５０の各々は、図には円形の開口として示されているが、必ずしも円形である必要はない。実際、これらの開口５０のうちの１つまたは複数は、円形、楕円形、直線で囲まれた形状（例えば、正方形または矩形）、三角形、等々から選択される１つまたは複数の開口であってもよい。また、１つまたは複数の開口は細長いものであってもよい。個々の開口は、平面図で、０．２ｍｍ以上の、望ましくは０．５ｍｍまたは１ｍｍ以上の長さ寸法（つまり１つの開口から隣接する開口への方向の寸法）を有しており、ある実施の形態では０．１ｍｍから１０ｍｍまでの範囲から選択され、ある実施の形態では０．２５ｍｍから２ｍｍまでの範囲から選択される。ある実施の形態では、個々の開口の幅は、０．１ｍｍから２ｍｍまでの範囲から選択される。ある実施の形態では、個々の開口の幅は、０．２ｍｍから１ｍｍまでの範囲から選択される。ある実施の形態では、この長さ寸法は、０．２ｍｍから０．５ｍｍまでの範囲、望ましくは０．２ｍｍから０．３ｍｍまでの範囲にある。
【００６２】
図７のメニスカス釘付けデバイスの開口５０の各々を、個別の低圧力源に接続することができる。別法または追加として、これらの開口５０の各々または複数を、それ自体が低圧力に保持される共通のチャンバまたはマニホルド（環状であってもよい）に接続することも可能である。この方法によれば、これらの開口５０の各々または複数における一様な低圧を実現できる。これらの開口５０を真空源に接続することができ、および／または流体ハンドリングシステム（あるいは閉じ込め構造）を取り囲んでいる大気の圧力を高くして所望の圧力差を生成することも可能である。
【００６３】
図７の実施の形態の場合、開口は流体抽出開口である。各開口は、流体ハンドリングシステムへのガス、液体、またはガスと液体の２相流体の通路における入口である。各入口は空間１１からの出口と見なされうる。
【００６４】
開口５０は、流体ハンドリング構造１２の表面に形成される。その表面は、使用中、基板Ｗおよび／または基板テーブルＷＴと対向する。ある実施の形態では、これらの開口は、流体ハンドリング構造１２の平らな表面に存在している。ある実施の形態では、基板部材の底面にリッジが存在しうる。開口の少なくともひとつはリッジの中に存在してもよい。針またはチューブによってこれらの開口５０が画定されてもよい。これらの針のうちのいくつか、たとえば隣接する針のボディは、一体に結合することができる。これらの針を一体に結合して単一のボディを形成することができる。この単一のボディはコーナ形状を形成してもよい。
【００６５】
開口５０は、たとえばチューブすなわち細長い通路の末端である。これらの開口は、使用中、それらが対向表面、例えば基板Ｗに向けられるよう、望ましくはそれらが対向表面に対向するよう配置されることが望ましい。これらの開口５０のリム（つまり表面からの出口）は、対向表面の一部の上面と実質的に平行であってもよい。これらの開口５０が接続される通路の長手軸は対向表面の頂部、例えば基板Ｗの上面に対して実質的に（直角から＋／−４５度以内、望ましくは３５度以内、２５度以内、さらには１５度以内で）直角であってもよい。
【００６６】
個々の開口５０は、液体およびガスの混合物を抽出するように設計されている。液体は空間１１から抽出され、一方、ガスは開口５０の液体とは別の側にある大気から抽出される。これにより、矢印１００によって示されているガス流が生成され、このガス流は、図７に示されているように、これらの開口５０間のメニスカス３２０を実質的に所定の位置に固定するために有効である。このガス流は、運動量阻止による、ガス流誘導圧力勾配による、および／または液体に対するガス（例えば空気）のドラッグ（ずり（shear））による、液体閉じ込めの維持に貢献する。
【００６７】
開口５０は、流体ハンドリング構造が液体を供給する空間を取り囲んでいる。これらの開口５０は、流体ハンドリング構造の下側の表面に分散されていてもよい。これらの開口は、空間の周りに間隔を隔てて実質的に連続していてもよい（ただし、隣接する開口５０間の間隔は変化してもよい）。ある実施の形態では、液体はコーナを有する形状の周り全体から抽出され、また、液体がコーナを有する形状に衝突するポイントで実質的に抽出される。これが達成されるのは、空間（コーナを有する形状）の周り全体にこれらの開口５０が形成されることによるものである。この方法によれば、液体を空間１１に閉じ込めることができる。メニスカスは、動作中、開口５０によって固定されうる。
【００６８】
図７から分かるように、開口５０は、平面図で、コーナを有する形状（つまりコーナ５２を備えた形状）が形成されるように配置されている。図７の場合、これは、縁部すなわち辺５４が湾曲した菱形、望ましくは正方形の形をしている。縁部５４は、湾曲している場合負の半径を有している。縁部５４は、コーナ５２から離れた領域においてコーナを有する形状の中心に向かって湾曲していてもよい。本発明の実施の形態は、例えば菱形や正方形や矩形などの直線で囲まれた形状または円形または三角形または星形または楕円形などの説明される形状を含むがそれに限定されない任意の形状に適用可能である。
【００６９】
コーナを有する形状は、投影システムＰＳ下での基板Ｗの主進行方向に沿った主軸１１１、１２１を有する。これは、臨界走査速さ以下において最大走査速さが開口５０が円形に配置された場合より大きいことを確かなものとするのに役に立つ。これは、２つの開口５０間のメニスカスに対する力が係数ｃｏｓθで低減されることによるものである。ここでθは、これらの２つの開口５０を結んでいる線の、基板Ｗが移動する方向に対する角度である。
【００７０】
コーナを有する形状を使用することにより、ステップ方向の運動および走査方向の運動の最大速さを実質的に同じ速さにすることができる。これは、形状のコーナ５２の各々と走査方向およびステッピング方向１１１、１２１を整列させることによって達成されうる。一方の方向、たとえば走査方向の運動をステップ方向の運動より速くすることが好ましい場合、ひし形形状を使用することができる。このような構造の場合、ひし形の主軸を走査方向に整列させることができる。ひし形形状の場合、コーナの各々を鋭角にすることができるが、たとえばステッピング方向におけるひし形の２つの隣接する辺の間の角度は、鈍角、すなわち９０度より大きい角度であってもよい（たとえば約９０度から１２０度までの範囲から選択され、ある実施の形態では９０度と１０５度の範囲から選択され、ある実施の形態では８５度と１０５度の範囲から選択される）。
【００７１】
開口５０の形状の主軸を基板の主移動方向（通常は走査方向）に整列させ、かつ、第２の軸を基板のもう一方の主移動方向（通常はステップ方向）に整列させることによって、スループットを最適化することができる。θが９０度以外の任意の構造は、少なくとも１つの運動方向には有利であることは理解されよう。したがって、主軸と主移動方向の正確なアライメントは重要ではない。
【００７２】
負の半径を有する縁部を提供する利点は、コーナをより鋭くすることができることである。走査方向に整列したコーナ５２およびステップ方向に整列したコーナ５２の両方に対して、７５から８５度までの範囲から選択される角度、さらにはそれより小さい角度を達成することができる。この特徴が無かったならば、両方の方向に整列したコーナ５２に同じ角度を持たせるためには、これらのコーナは９０度の角度を有するほかない。９０度未満が望ましい場合、９０度未満のコーナを有する一の方向を選択する必要があり、その結果、もう一方のコーナが９０度より大きい角度を有することになる。
【００７３】
半径方向内側向きの開口５０のメニスカス釘付け特徴部分は、場合によっては存在していなくてもよい。メニスカスは、開口５０間で、開口５０に流入するガスによって誘導されるドラッグ力を使用して固定される。ガスドラッグ速度は、約１５ｍ／ｓ、望ましくは２０ｍ／ｓより大きい速度で十分である。基板から液体が蒸発する量を少なくすることができ、それにより液体のはねかけ、ならびに熱膨張／収縮効果の両方を抑制することができる。
【００７４】
ある実施の形態では、メニスカスを固定するために、それぞれ直径が１ｍｍで、かつ、３．９ｍｍだけ分離された、少なくとも３６の離散的な開口５０が有効であろう。ある実施の形態では１１２個の開口５０が存在している。これらの開口５０は、辺の長さが０．５ｍｍ、０．３ｍｍ、０．２ｍｍまたは０．１ｍｍの正方形であってもよい。このようなシステムの総ガス流量は１００ｌ／ｍｉｎのオーダーである。ある実施の形態では、総ガス流量は、７０ｌ／ｍｉｎから１３０ｌ／ｍｉｎまでの範囲から選択される。
【００７５】
流体ハンドリング構造の底部の他の幾何形状も可能である。たとえば、米国特許出願公開公報ＵＳ２００４−０２０７８２４号または２００９年５月２６日に出願された米国特許出願ＵＳ６１／１８１１５８号に開示されている任意の構造を本発明の実施の形態に使用することができる。
【００７６】
図７から分かるように、空間１１に対して開口５０の外側にひとつ以上のスリット６１が設けられてもよい。スリット６１は、開口５０を結ぶ線に対して実質的に平行であってもよい。ある実施の形態では、スリット６１は形状の辺５４に沿って提供される一連の離散アパーチャであってもよい。使用中、スリット６１は高圧力に接続され、開口５０によって形成されるメニスカス釘付けデバイスを取り囲むガスナイフ６０を形成する。
【００７７】
本発明のある実施の形態によるガスナイフ６０は、基板Ｗや基板テーブルＷＴなどの対向表面に残された任意の液体膜の厚さを低減するよう機能する。ガスナイフ６０は、液体膜が破壊されて滴になるのではなくむしろ液体が開口５０に向かって押しやられて抽出されることをより確かなものとするのに役に立つ。ある実施の形態では、ガスナイフ６０は膜の形成を防止するよう働く。これを達成するためには、ガスナイフの中心線と複数のメニスカス釘付け開口５０の中心線との間の距離が、約１．５ｍｍから４ｍｍまでの範囲、より望ましくは約２ｍｍから３ｍｍまでの範囲にあることが望ましい。ガスナイフ６０のスリット６１と隣接開口５０との間の距離が上述の範囲に入るように、ガスナイフ６０が沿って配置される線はおおまかには開口５０の線にしたがう。ガスナイフ６０が沿って配置される線は、開口５０の線と平行であることが望ましい。ガスナイフ６０のスリット６１と隣接開口５０との間に一定の間隔を維持することが望ましい。ある実施の形態では、これは、ガスナイフの個々の中心線の長さに沿ってであることが望ましい。ある実施の形態では、この一定の分離は、液体ハンドリングデバイスの１つ以上のコーナの領域内におけるものであってもよい。
【００７８】
図２−７を参照して上述されたような局所領域流体ハンドリングシステムは、空間１１への泡の混入で苦しむことがある。見られるように、メニスカス３２０は流体ハンドリングシステム１２と流体ハンドリングシステム１２の下の表面との間に張られる。このメニスカス３２０は空間１１の縁を規定する。メニスカス３２０と液滴、例えば空間１１から脱出した液滴、とが表面上で衝突すると、空間１１に気泡が混入されうる。気泡が結像誤差を導きうる点で、空間１１への泡の混入は有害である。少なくとも以下の３つの状況のうちのひとつにおいて、通常、表面上に液滴が残される。（ａ）液体ハンドリングデバイスが基板Ｗの縁の上に位置し、かつ液体ハンドリングデバイスと基板Ｗとの間に相対的な移動があるとき、（ｂ）液体閉じ込め構造に対向する対向表面の高さが段階的に変化するところの上に液体ハンドリングデバイスが位置し、かつ液体ハンドリングデバイスと対向表面との間に相対的な移動があるとき、および／または（ｃ）液体ハンドリングデバイスと対向表面との間の相対的な速さが大きすぎることによるとき、例えば対向表面の臨界走査速さを超えるなどしてメニスカスが不安定になるとき。図５および６に示されるメニスカス４００であって液体閉じ込め構造１２と投影システムＰＳとの間に張るメニスカス４００において泡が混入されうる。この場合、液体ハンドリングシステム１２の半径方向内向きに対向する表面上の液体入口（図５の入口１３および図６の入口２０）から供給された液体が投影システムＰＳと液体ハンドリングデバイス１２との間からガスを引き入れることによって、気泡が生成されうる。
【００７９】
泡混入の課題に対処する方法ではこれまで、液体閉じ込め構造１２の閉じ込め特性を改良することに傾注してきた。例えば、液体のこぼれを避けるために、液体閉じ込め構造１２と対向表面との間の相対的な速さが低減された。
【００８０】
非常に小さな気泡は、空間１１の露光領域３２８（図７に図示）に到達する前に液浸液に溶解しうる。本発明の実施の形態は、溶解の速さはトラップされたガスのタイプおよび液浸液の性質に依存するという事実を使用する。
【００８１】
二酸化炭素（ＣＯ２）の泡は典型的には空気の泡よりも速く溶解する。ＣＯ２の泡は窒素の５５倍の溶解度および窒素の０．８６倍の拡散率を有しており、典型的には、同じサイズの窒素の泡が溶解するのに要する時間の３７分の１の短い時間で溶解する。
【００８２】
実験が行われた。そこでは、超純水が煮沸によってガス抜きされた。そして水は冷却され、−９５０ｍｂａｒの真空が適用された。その水の中に置かれた基板の縁に、周囲の空気の泡およびＣＯ２の泡が配置された。泡は０．５から１ｍｍの間のサイズを有していた。３０秒後、ＣＯ２の泡のサイズは０．１ｍｍから０．３ｍｍの間まで減少し、１分後にはＣＯ２の泡は０．１ｍｍもなかった。この間、空気の泡のサイズは有意には変化しなかった。
【００８３】
泡の直径の時間による変化の解析的な式は、
【数１】
2011124573.tif 000003
である。ここで、Ｒは一般気体定数、Ｔは温度、Ｄｉｆｆは拡散率、Ｓｏｌは溶解度、ｔは時間、Ｄｂｕｂは泡の直径、Ｓｈはシャーウッド数（ｋｄ／Ｄｉｆｆ、ｋは物質移動係数、ｄは特徴次元）、Ｐｈｙｄは水圧、σは表面張力である。
【００８４】
この式は、１ｍｍより小さな直径を有するＣＯ２の泡は１分、２分の時間スケールで溶解するであろうことを示す。対照的に、窒素の泡は時間（hour）の時間スケールで溶解するであろう。これは上述の実験と合致する。
【００８５】
別の解析モデルは、溶解時間τを泡直径、拡散率、溶解度、一般気体定数、および温度と関連付ける。
【数２】
2011124573.tif 000004
【００８６】
１ｍｍの直径を有するＣＯ２の泡は１番目の解析モデルでは１１０秒で溶解すると予測されるが、２番目の式では約７０秒で溶解するであろうことが示される。
【００８７】
したがって、実験結果は上述の２つの解析モデルとおおよそ一致する。より速い溶解は、より高い溶解度および／またはより高い物質移動係数によって達成される。所与の流れの条件および配置形状において、一次近似では、シャーウッド数は対象のガスまたは液体によらない。これは、物質移動係数および拡散率は実質的に比例関係にあることを示す。したがって、１番目の式の分子にある拡散率および２番目の式の分母にある拡散率はいずれも相殺（cancel out）されるが、物質移動係数は拡散率に比例するので、拡散率が高いほど溶解も速くなる。したがって、適切なガスはより高い溶解度および／またはより高い拡散率を有してもよい。適切なガスは、液浸液への溶解度と液浸液における拡散率との積であって空気のそれよりも大きな積を有してもよい。
【００８８】
解析モデルによって得られる結果を使用して、特定のガスの泡が液体にどれほど速く溶解すると期待されるかを決定することができる。メニスカス３２０で混入された泡は対向表面に対して静止し、基板上に配置されうる。泡は露光領域３２８に向けて空間を通過して移動しうる。結像欠陥を生じさせないために、混入された泡は投影ビームＢによって露光されるべき露光領域３２８に達する前に溶解することが望ましい。所与の流体ハンドリングシステムにおいて、メニスカス３２０の予測位置と露光領域３２８との間の距離は既知である。泡の移動距離は、基板Ｗが投影システムＰＳの下を、泡が液体に混入された位置から泡が露光領域内に入る位置まで移動する際の基板Ｗの移動距離と等しくてもよい。したがって、より速く走査される場合はより遅く走査される場合よりも泡は速く溶解する必要がある。泡がメニスカス３２０から露光領域３２８に到達するまでにかかる時間はより遅く走査される場合よりもより速く走査される場合のほうが短いからである。図８は、特定の配置形状の流体ハンドリングシステムについての計算を示す。この計算は、メニスカス３２０の予測位置と露光領域３２８との間の距離を約３０ｍｍとした上で種々の走査の速さについて行われた。二酸化炭素（正方形）の泡および窒素（菱形）の泡の許容できる最大サイズ（ｙ軸上）が走査の速さ（ｘ軸上）に対してプロットされている。これに見られる通り、ＣＯ２泡の許容できる最大泡直径は、窒素の許容できる最大泡直径よりも（約８倍）大きい。
【００８９】
ガスの泡が高い拡散率、高い溶解度、または液浸液への溶解度と液浸液における拡散率との大きな積を有するガスの泡である場合、上述の２つの解析モデルによるとその泡は液浸液により速く溶解する。したがって、本発明の実施の形態を使用すると結像欠陥の数を低減でき、それによってスループットを高め（例えば基板Ｗの液体ハンドリングシステム１２に対する速さを大きくす）ることができ、また欠陥性を低減できる。
【００９０】
したがって、本発明の実施の形態は、空間１１に隣接する領域に（例えば、ボリューム（volume）に、またはエリア（area）に向けて）ガスを供給するガス供給デバイスを提供する。特に、対向表面と液体ハンドリングデバイス１２との間に張るメニスカス３２０に隣接するおよび／または液体ハンドリングデバイス１２と投影システムＰＳとの間に張るメニスカス４００に隣接する領域に存在するようにガスが提供される。
【００９１】
適切なガスは、例えば摂氏２０度および全圧１ａｔｍにおいて１ｘ１０−３よりも大きい液浸液（例えば、水）への溶解度（全圧１ａｔｍ（ガスおよび液浸液の分圧の和）における液浸液の単位質量当たりのガスの質量）を有するガスである。空間に隣接する領域を満たすのに必要なのはガスの重量よりむしろガスの所定体積であるから、ガスの重量よりむしろガスの体積が重要でありうる。したがって、溶解度は液体ｋｇ当たりのガスｍｏｌｓで（すなわち、ｍｏｌ／ｋｇで）表現されると好適である。その場合、溶解度は５ｘ１０−３ｍｏｌ／ｋｇより大きくあるべきであり、１０ｘ１０−３ｍｏｌ／ｋｇ、１５ｘ１０−３ｍｏｌ／ｋｇ、２０ｘ１０−３  ｍｏｌ／ｋｇまたは２５ｘ１０−３ｍｏｌ／ｋｇより大きいことが望ましい。
【００９２】
適切なガスは、例えば摂氏２０度および全圧１ａｔｍにおいて３ｘ１０−５ｃｍ２ｓ−１よりも大きい拡散率を有するガスである。この値は、空気の値である２．３ｘ１０−５ｃｍ２ｓ−１と比較される。拡散率は、８ｘ１０−５、１ｘ１０−４、または５ｘ１０−４ｃｍ２ｓ−１よりも大きいことが望ましい。大抵のガスは１−２ｘ１０−５ｃｍ２ｓ−１の間の拡散率を有する。酸素および窒素の両方は２．３ｘ１０−５ｃｍ２ｓ−１の拡散率を有し、二酸化炭素は１．６ｘ１０−５ｃｍ２ｓ−１である。ヘリウムは３．８ｘ１０−５ｃｍ２ｓ−１の拡散率（および１．６ｘ１０−６ｋｇ／ｋｇまたは４ｘ１０−４ｍｏｌ／ｋｇの溶解度）を有する。水素は５．８ｘ１０−５ｃｍ２ｓ−１の拡散率（および１．６ｘ１０−６ｋｇ／ｋｇまたは８ｘ１０−４ｍｏｌ／ｋｇの溶解度）を有する。
【００９３】
摂氏２０度および全圧１ａｔｍにおいて１ｘ１０−３ｋｇ／ｋｇまたは３ｘ１０−３ｍｏｌ／ｋｇより大きな溶解度および／または摂氏２０度および圧力１ａｔｍにおいて３ｘ１０−５ｃｍ２ｓ−１より大きな液浸液における拡散率を有するガスが特に望ましい。ある実施の形態では、ガスは空気よりも大きな拡散率と溶解度との積を有するガスである。例えば、拡散率と溶解度との積は１ｘ１０−９ｃｍ２ｓ−１（溶解度について質量比を使用した場合）または２ｘ１０−８ｍｏｌｃｍ２ｓ−１ｋｇ−１（溶解度についてｍｏｌ／ｋｇを使用した場合）よりも大きくなければならない。溶解度と拡散率との積は５ｘ１０−９、１ｘ１０−８または３ｘ８−８ｃｍ２ｓ−１（溶解度について質量比を使用した場合）あるいは４ｘ１０−８、１０ｘ１０−８、２０ｘ１０−８、４０ｘ１０−８または５０ｘ１０−８ｃｍ２ｓ−１ｍｏｌｋｇ−１（溶解度についてｍｏｌ／ｋｇを使用した場合）より大きいことが望ましい。例示的なガスは二酸化炭素である。
【００９４】
ある実施の形態では、溶解度と拡散率との積が（摂氏２０度および全圧１ａｔｍにおいて）空気のそれよりも大きなガスが使用される。溶解度はｋｇ／ｋｇでまたはｍｏｌ／ｋｇで測定されてもよい。このような性質を有するガスは空気よりも速く液浸液に溶解する。したがって、メニスカス３２０、４００において混入された泡が露光時に露光領域に依然として存在するようなリスク無しにより大きな走査の速さを使用することができる。
【００９５】
例示的なガスは二酸化炭素である。二酸化炭素は、容易に入手可能であり、液浸システムにおいて他の用途で使用されうるので望ましい。二酸化炭素は、摂氏２０度および全圧１ａｔｍにおいて水への溶解度として１．６９ｘ１０−３ｋｇ／ｋｇまたは３７ｘ１０−３ｍｏｌ／ｋｇを有する。他の適切なガスは、塩素（７．０ｘ１０−３ｋｇ／ｋｇまたは９８ｘ１０−３ｍｏｌ／ｋｇ)、硫化水素（３．８５ｘ１０−３ｋｇ／ｋｇまたは１１３ｘ１０−３ｍｏｌ／ｋｇ）、塩化水素（０．７２１ｋｇ／ｋｇまたは１９７５３ｘ１０−３ｍｏｌ／ｋｇ）、アンモニア（０．５３１ｋｇ／ｋｇまたは３１２３５ｘ１０−３ｍｏｌ／ｋｇ）または二酸化硫黄（０．１１３ｋｇ／ｋｇまたは１７６５ｘ１０−３ｍｏｌ／ｋｇ）である。これらのガスのいくつかは、ひとつ以上の不利な点を有しうる。例えば、これらのガスのいくつかは液浸リソグラフィ装置の部材と反応しうる。および／またはこれらのガスのいくつかは毒性を有し、したがって二酸化炭素よりも取り扱いがより困難であり望ましくない可能性がある。液浸液に容易に溶解する任意の反応しないガスは好適である。
【００９６】
本発明の実施の形態で使用されるこれらのガスは、摂氏２０度および全圧１ａｔｍにおいて水への溶解度としてそれぞれ４．３４ｘ１０−５ｋｇ／ｋｇまたは１．３６ｘ１０−３  ｍｏｌ／ｋｇおよび１．９０ｘ１０−５ｋｇ／ｋｇまたは０．６８ｘ１０−３ｍｏｌ／ｋｇを有する酸素および窒素とは対照的である。したがって、酸素、窒素、またはそれら２つのガスが主成分となっている空気のいずれも空間１１の露光領域３２５に到達する前に溶解しにくい。
【００９７】
ガス供給デバイスは、摂氏２０度および全圧１ａｔｍにおいて液浸液への溶解度が１ｘ１０−３ｋｇ／ｋｇまたは５ｘ１０−３ｍｏｌ／ｋｇよりも大きいガスを他のガスを除いて供給する。したがって、そのガス供給デバイスから出てくる任意のガスは１ｘ１０−３ｋｇ／ｋｇまたは５ｘ１０−３ｍｏｌ／ｋｇよりも大きい溶解度を有しうる。したがって、そのようなガス供給デバイスは（二酸化炭素を含む）空気を供給するガス供給デバイスと識別可能である。空気は、１ｘ１０−３ｋｇ／ｋｇまたは５ｘ１０−３ｍｏｌ／ｋｇよりも低い溶解度を有する酸素なり窒素なりを含むからである。
【００９８】
本明細書で説明される本発明の実施の形態は、液浸液のメニスカス３２０、４００の周りにＣＯ２雰囲気を形成してもよい。その結果、液浸液へガスがどのように混入されても液浸液のなかに溶解されうる。空間に液浸液を供給するに先だって（例えば液浸液の抵抗率を変えるために）液浸液にＣＯ２を溶解させることは、ＣＯ２を溶質として提供することであり、ガスとして提供することではない。ＣＯ２の溶質を提供することは、本発明の実施の形態と同じようには作用しないであろう。ＣＯ２は液浸液の中に供給されるからである。メニスカス領域にＣＯ２をガス雰囲気の代わりに液浸液内の溶質として提供する場合、ＣＯ２は空間内の液体に既に溶解している。ＣＯ２は混入された泡のガスには存在せず、したがって液浸液内におけるＣＯ２の存在は混入された泡のサイズの低減を促進しないであろう。そのような構成は、本発明の実施の形態の作用の仕方とは正反対であると見なされうる。
【００９９】
ある実施の形態では、液浸液は空間１１に供給される前にガス抜きされる。ある実施の形態では、ガス抜きの後空間１１に供給される前の液浸液には、ガスが最小限溶解されているか望ましくは全く溶解されていない。特に、ガス抜きされた液浸液と空間１１に供給される液浸液との間に液浸液に故意にガスを溶解させる部材は存在しない。従来、液浸液を空間１１へ提供する前に液浸液に二酸化炭素を溶解させ、それによって例えば液浸液と接触するひとつ以上の部材の腐食を防止するのを助けるように液浸液の酸性度または電気伝導率を変えることが提案されている。しかしながら、二酸化炭素は腐食を防止するのに十分なだけ加えられる必要があり、それは本発明の実施の形態の混入泡に対する効果が見られなくなる二酸化炭素の濃度以下である。本発明のある実施の形態では、液浸液に溶解される二酸化炭素の濃度が高いのは望ましくない。液浸液に故意に所定の濃度を超えてガスを溶解させると、液浸液へのそのガスの溶解度が低下しうるからである。したがって、溶液中にガスが（少なくとも所定のしきい値を超えて）存在すると、結像欠陥の発生可能性を避けないまでも低減するのを助けるのに十分速く混入泡のガスが溶解する可能性が低減されうる。
【０１００】
ある実施の形態では、液体メニスカス３２０、４００においてガス雰囲気が生成される。これは、液浸リソグラフィ装置の露光領域をガスで包み込むことを含む。露光領域は、投影システムＰＳの端部を囲む全領域である。ある実施の形態では、装置の内側全体にガスが供給される。ある実施の形態では、メニスカス３２０、４００への局所的なガス供給が提供される。例えば、メニスカス３２０、４００にガスを提供するために、バリア部材１２に別個の開口２００、２０１が設けられてもよい。ある実施の形態では、ガスはガスナイフを通じて提供されてもよく、これは後述される。ある実施の形態では、ガスは例えばパージングガス（purging gas）としてバリア部材の領域に供給されてもよい。
【０１０１】
典型的にはガス供給デバイスは、ガスのソースと、導管を通じてガスのソースと接続される開口と、を備える。ある実施の形態では、図７で説明されたものであってガスナイフ６０を有さないもののような流体ハンドリングシステムにおいてガスが提供される。高い溶解度のガスのガス雰囲気６００は流体ハンドリングデバイス１２全体を囲む。液体閉じ込め構造１２は、例えばパージングガスとして流体ハンドリングシステムの領域に供給されたガス雰囲気６００のなかにあり、例えばガス雲のなかに包まれているようなものである。液体閉じ込め構造１２とは別個の（例えば、それに隣接する）ガス開口５００を通じてガスが提供されうる。開口５００は導管５１０の端にあってもよい。導管５１０は、ガス開口５００とガスのソース５２０との間に延びる。ガス開口５００は液体閉じ込め構造１２の周囲周辺のひとつ以上の開口であってもよい。開口は液体閉じ込め構造１２を囲んでもよい。他の実施の形態、特に図２から４の実施の形態において、同じまたは同様のシステムが使用されてもよい。
【０１０２】
ある実施の形態では、高い溶解度のガスのための開口は流体ハンドリングシステム１２のなかに形成されてもよい。ガス開口２００、２０１はガスのソース５２０と接続されてもよい。例えば、ガス開口は図６に示されるような液体閉じ込め構造１２の表面に形成されたインテグラル開口２００であってもよい。インテグラル開口２００は投影システムＰＳの光軸に対してメニスカスよりも半径方向外側にあり、抽出器７０よりも半径方向外側にあってもよい。液浸液への高い溶解度を有するガスは、インテグラル開口（または出口）２００から出てきてメニスカス３２０に隣接しうる。インテグラル開口２００から出てきたガスは、液滴とメニスカス３２０との衝突の際に気泡として空間１１のなかの液浸液に混入されうる。ガスは液浸液に容易に吸収されるので、気泡は好適に空間１１の光路に到達する前に液浸液に吸収されるであろう。図６に示されるようなインテグラル開口２００は、任意のタイプの流体ハンドリングシステム１２の例えば抽出器に隣接する位置に設けられうる。液体閉じ込め構造１２と投影システムＰＳとの間に張るメニスカス４００に隣接してガスを提供するさらなる開口２０１が図６に示される。このさらなる開口２０１は、メニスカス４００の予測位置の半径方向外側にある。
【０１０３】
図５、６および７に示されるガスナイフなどの既存のガス供給特徴部分を、本明細書で説明された液浸液への高い溶解度を有するガスを供給するガス供給デバイスの中で使用することができる。図５の開口１５から供給されるガスは、摂氏２０度および全圧１ａｔｍにおいて１ｘ１０−３ｋｇ／ｋｇまたは５ｘ１０−３ｍｏｌ／ｋｇよりも大きな液浸液への溶解度を有するガスから構成されてもよい。図６のガスナイフ９０および図７のガスナイフ６０において使用されるガスは、摂氏２０度および全圧１ａｔｍにおいて１ｘ１０−３ｋｇ／ｋｇまたは５ｘ１０−３ｍｏｌ／ｋｇよりも大きな液浸液への溶解度を有するガスから構成されてもよい。それぞれの場合において、開口１５、９０、６０はガスのソース５２０と接続されうる。したがって、流体ハンドリングシステム１２の既存のデザインを利用することができる。流体ハンドリングシステム１２の既存のデザインが利用される場合、システム１２のサイズは最小化されないまでも少なくとも維持されうる。
【０１０４】
液体／ガス分離ラインの環境から（例えば、メニスカス３２０、４００で）環境ガス（例えば、空気）が多く排斥されるように、ガスが供給される。ガスはメニスカス３２０、４００においてまたはメニスカス３２０、４００よりも半径方向外側で供給されてもよい。ある実施の形態では、ガスはパージングガスとして供給され、メニスカスを周囲の環境ガスから保護する。ある実施の形態では、ガスは液体をリザーバまたは液浸空間に閉じ込めるように供給される。ガスは液体ハンドリングシステムと対向表面（例えば、基板テーブルおよび／または基板）との間にシールを形成するように供給されてもよい。供給されたガスは液浸液のメニスカスと例えば空気である周囲雰囲気との間にバリアを形成してもよい。
【０１０５】
メニスカス３２０、４００が曝される雰囲気は主に供給されたガスである。したがって、泡形成が無くてもガスはメニスカス３２０、４００において液浸液に溶解する。時間が経過すると、供給されたガスの濃度は増大しうる。結果として、メニスカスにおける液体は供給されたガスによって最も影響を受ける。供給されたガスの濃度が増大すると、屈折率などの液浸液の光学的性質に影響が現れうる。しかしながら、メニスカスにおいて空間１１から液体を連続的に抽出することによって、メニスカスよりも半径方向内側の液体が増大したガス濃度によって実質的に影響を受けることを防ぐことができる。
【０１０６】
しかしながら、例えば液滴との衝突の際にメニスカスにおいて形成される任意の泡は、少なくとも大部分は供給されたガスである気泡を含む可能性が高い。泡は供給されたガスを含むので、その泡は出口１４、開口５０または抽出器７０などの抽出領域を超えたところで液浸液へ容易に溶解する。泡は露光領域３２５すなわち空間１１を通じた投影ビームの経路に達する前に好適に溶解するのであるから、泡のガスのほとんどは泡が露光領域３２５に達する前に液浸液へ溶解する。泡の経路における液体のほとんどはメニスカス付近で抽出されるので、供給されたガスが溶解した液体はそれが空間の液浸液の光学的性質に重大な影響を与える前に抽出される可能性が高い。
【０１０７】
ガス状のＣＯ２を使用することで、メニスカス３２０が液滴に衝突することに伴う課題が軽減されるか、軽減されないまでも低減されうる。典型的には、直径３００マイクロメートルの液滴は直径３０マイクロメートル（つまり、１０分の１のサイズ）の泡を生成しうる。そのような二酸化炭素の泡は、通常露光領域に到達する前に液浸液へ溶解しうる（そのようなサイズの液滴はひとつ以上の他の課題を生じうることを注意しておく）。したがって、液滴によって生じる課題はより重要でなくなる。液浸システムは空間から脱出した液浸液との相互作用についてより寛容となるであろう。
【０１０８】
ガス供給デバイスから未溶解のガスを回収し、その未溶解のガスをガス供給デバイスのガスソース５２０に再利用のために戻すためにリサイクリングデバイス６５０が使用されてもよい。図７を参照して説明されたような気体吸引原理を応用する流体ハンドリングシステムは、図６を参照して説明されたような単相抽出器を使用する液体供給デバイスと比較してガス供給デバイスから多くのガスを使用する可能性が高いことは注意されるべきである。したがって、リサイクリングデバイス６５０は気体吸引原理を応用する流体ハンドリングシステムとしての使用において特に有利でありうる。
【０１０９】
理解されるように、上述の特徴のいずれかは他のいずれかとともに使用可能であり、明確に記述された組合せのみが本願の範囲に含まれるわけではない。例えば、本発明の実施の形態は、図２から図４の実施の形態にも適用されうる。
【０１１０】
本明細書ではＩＣの製造におけるリソグラフィ装置の使用を例として説明しているが、リソグラフィ装置は他の用途にも適用することが可能であるものと理解されたい。他の用途としては、集積光学システム、磁区メモリ用案内パターンおよび検出パターン、フラットパネルディスプレイ、液晶ディスプレイ（ＬＣＤ）、薄膜磁気ヘッドなどがある。当業者であればこれらの他の適用に際して、本明細書における「ウエーハ」あるいは「ダイ」という用語がそれぞれ「基板」あるいは「目標部分」という、より一般的な用語と同義であるとみなされると理解することができるであろう。基板は露光前または露光後においてトラック（典型的にはレジスト層を基板に塗布し、露光後のレジストを現像する装置）、メトロロジツール、及び／またはインスペクションツールにより処理されてもよい。適用可能であれば、本明細書の開示はこれらのまたは他の基板処理装置にも適用され得る。また、基板は例えば多層ＩＣを製造するために複数回処理されてもよく、その場合には本明細書における基板という用語は既に処理されている多数の処理層を含む基板をも意味する。
【０１１１】
本明細書において「放射」及び「ビーム」という用語は、紫外（ＵＶ）放射（例えば約３６５ｎｍ、２４８ｎｍ、１９３ｎｍ、１５７ｎｍ、または１２６ｎｍの波長を有する）を含むあらゆる種類の電磁放射を示す。「レンズ」という用語は文脈が許す限り、屈折光学素子及び反射光学素子を含むあらゆる光学素子またはそれらの組合せを示してもよい。
【０１１２】
本発明の特定の実施の形態が上述されたが、説明したもの以外の態様で本発明が実施されてもよい。例えば、本発明の実施形態は、上述の方法を記述する機械で読み取り可能な命令の１つまたは複数のシーケンスを含むコンピュータプログラムの形式をとってもよいし、そのコンピュータプログラムを記録したデータ記録媒体（例えば半導体メモリ、磁気ディスク、または光ディスク）であってもよい。機械で読み取り可能な命令は２以上のコンピュータプログラムにより実現されてもよい。それら２以上のコンピュータプログラムは１つまたは複数の異なるメモリ及び／またはデータ記録媒体に記録されていてもよい。
【０１１３】
本明細書に記載の任意のコントローラは、リソグラフィ装置の少なくとも１つの構成要素内部に設けられた１つまたは複数のコンピュータプロセッサによって１つまたは複数のコンピュータプログラムが読み取られたときに動作可能であってもよい。コントローラは信号を受信し処理し送信するのに適切ないかなる構成であってもよい。１つまたは複数のプロセッサは少なくとも１つのコントローラに通信可能に構成されていてもよい。例えば、複数のコントローラの各々が上述の方法のための機械読み取り可能命令を含むコンピュータプログラムを実行するための１つまたは複数のプロセッサを含んでもよい。各コントローラはコンピュータプログラムを記録する記録媒体及び／またはそのような媒体を受けるハードウェアを含んでもよい。コントローラは１つまたは複数のコンピュータプログラムの機械読み取り可能命令に従って動作してもよい。
【０１１４】
本発明の１つまたは複数の実施の形態はいかなる液浸リソグラフィ装置に適用されてもよい。上述の形式のものを含むがこれらに限られない。液浸液が浴槽形式で提供されてもよいし、基板の局所領域のみに提供されてもよいし、非閉じ込め型であってもよい。非閉じ込め型においては、液浸液が基板及び／または基板テーブルの表面から外部に流れ出ることで、基板テーブル及び／または基板の覆われていない実質的に全ての表面が濡れ状態であってもよい。非閉じ込め液浸システムにおいては、液体供給システムは液浸液を閉じ込めなくてもよいし、液浸液の一部が閉じ込められるが完全には閉じ込めないようにしてもよい。
【０１１５】
本明細書に述べた液体供給システムは広く解釈されるべきである。ある実施形態においては投影システムと基板及び／または基板テーブルとの間の空間に液体を提供する機構または構造体の組合せであってもよい。１つまたは複数の構造体、及び１つまたは複数の流体開口の組合せを含んでもよい。流体開口は、１つまたは複数の液体開口、１つまたは複数の気体開口、１つまたは複数の二相流のための開口を含む。開口のそれぞれは、液浸空間への入口（または流体ハンドリング構造からの出口）または液浸空間からの出口（または流体ハンドリング構造への入口）であってもよい。一実施例においては、液浸空間の表面は基板及び／または基板テーブルの一部であってもよい。あるいは液浸空間の表面は基板及び／または基板テーブルの表面を完全に含んでもよいし、液浸空間が基板及び／または基板テーブルを包含してもよい。液体供給システムは、液体の位置、量、性質、形状、流速、またはその他の性状を制御するための１つまたは複数の要素をさらに含んでもよいが、それは必須ではない。
【０１１６】
上述の説明は例示であり限定することを意図していない。よって、当業者であれば請求項の範囲から逸脱することなく本発明の変形例を実施することが可能であろう。
【図１】
2011124573.tif 000005
【図２】
2011124573.tif 000006
【図３】
2011124573.tif 000007
【図４】
2011124573.tif 000008
【図５】
2011124573.tif 000009
【図６】
2011124573.tif 000010
【図７】
2011124573.tif 000011
【図８】
2011124573.tif 000012
【外国語明細書】
2011124573000001.pdf